(57)【特許請求の範囲】
【請求項１】
分離装置への吸気口を有するメインボディと、
前記吸気口に結合するための１つの終端と、接続部で終結する、もう１つの終端とを有する柔軟なホースと、
メインボディに連結されたとき、掃除機に取っ手を提供し、メインボディから解放されたとき、まっすぐなパイプを提供するための、メインボディに着脱可能な堅いパイプと
を具備し、
前記パイプは、第１及び第２の終端のそれぞれに開口を有し、かつ、ユーザがパイプをつかむことを可能にするために、第１の終端にグリップ部を有し、
前記ホースの接続部は、パイプのどちらの終端の開口にも接続可能とされている
ことを特徴とする電気掃除機。
【請求項２】
前記パイプにおける第１及び第２の終端の開口部は、同じ形をしている
ことを特徴とする請求項１に記載の電気掃除機。
【請求項３】
前記パイプにおける、第１の終端の開口部と、第２の終端の開口部とは、異なる形をしていて、
前記掃除機は、パイプの第１の終端に接続可能な吸気口と、ホースの接続部をはめ込む排気口とを有するアダプタを更に備えている
ことを特徴とする請求項１に記載の電気掃除機。
【請求項４】
前記アダプタは、関節でつながれている
ことを特徴とする請求項３に記載の電気掃除機。
【請求項５】
前記パイプにおける第１及び第２の終端の開口部に接続可能な排気口を有するアクセサリーツールを更に具備する
ことを特徴とする請求項１から４のうちのいずれか１項に記載の電気掃除機。
【請求項６】
前記アクセサリーツールの排気口は、前記ホースの接続部にも接続可能とされている
ことを特徴とする請求項５に記載の電気掃除機。
【請求項７】
前記アクセサリーツールは、２つの異なる直径のスリーブを有する排気口を備えている
ことを特徴とする請求項５または６に記載の電気掃除機。
【請求項８】
前記ツールの排気口は、段が付けられた領域を有し、前記各々のスリーブは、前記段が付けられた領域の一部を形成し、前記スリーブは、排気口から内側に向かう方向に沿って、直径が減少している
ことを特徴とする請求項７に記載の電気掃除機。
【請求項９】
前記ホースの接続部は、２つの異なる直径のスリーブを有する吸気口を備えている
ことを特徴とする請求項５または６に記載の電気掃除機。
【請求項１０】
前記電気掃除機は、直立型の電気掃除機である
ことを特徴とする請求項１から９のうちのいずれか１項に記載の電気掃除機。
【発明の詳細な説明】
【０００１】
【発明の属する技術分野】
本発明は、ホースとまっすぐなパイプとの組立品を備えた電気掃除機に関する。
【０００２】
【従来の技術】
直立型の電気掃除機は、一般に、電気掃除機のメインボディの下端に、回転可能に取り付けられるクリーナーヘッドを備えている。クリーナーヘッドは、下向きに向けられた、汚れた空気の吸気口を有し、ここから、汚れた空気が、ほこり分離装置に吸い込まれる。ほこり分離装置は、通常、バッグまたはサイクロン分離器の形をとる。このタイプの電気掃除機は、しばしば、直立操作モードと、シリンダ操作モードとの間で切換可能となっている。
【０００３】
直立モードにおいて、電気掃除機は、清掃しようとする面上で動かされ、メインボディが後方に傾けられると同時に、汚れた空気は、クリーナーヘッドの汚れた空気の吸気口を介して、ほこり分離装置に吸い込まれる。電気掃除機は、上向きに伸びている取っ手を有しているので、ユーザは、この取っ手を用いて、清掃しようとする面上で電気掃除機を動かすことができる。
【０００４】
シリンダーモードにおいては、メインボディは、直立した姿勢にされ、１本の柔軟なホースによって電気掃除機に接続されたまっすぐなパイプが、汚れた空気を、ほこり分離装置に導入するために用いられる。
【０００５】
欧州特許第134654号に示された、直立型の電気掃除機の１つの既知のタイプは、一般に堅いパイプ部分と、一般に柔軟なホース部分とを有する、まっすぐなパイプを備えている。ホース部分は、一方の終端で、電気掃除機のメインボディに接続され、もう一方の終端で、堅いパイプに接続されている。堅いパイプは、直立モードにおいて、掃除機の取っ手を形成するために、或いは、シリンダーモードにおいて、まっすぐなパイプを形成するために、電気掃除機のメインボディに着脱可能とされている。この構成によれば、まっすぐなパイプとして使用するために、掃除機上に付加的なパイプを格納する必要がなくなる。なぜなら、前記のパイプを、掃除機の取っ手、及び、まっすぐなパイプとして利用することができるからである。
【０００６】
直立モードにおいて、堅いパイプ部分は、伸縮式に、ホース部分の中に入れられ、電気掃除機のメインボディの背に固定されるので、堅いパイプ部分は、メインボディから上方向に伸び、取っ手を形成する。従って、ユーザは、この取っ手をつかみ、清掃しようとする面上でクリーナーヘッドを動かすことができる。シリンダーモードにおいて、堅いパイプ部分は、柔軟なホースを介して、電気掃除機のメインボディに接続される。パイプ部分は、掃除機のメインボディから外され、ユーザは、堅いパイプ部分をつかむことが可能になり、かつ、まっすぐなパイプとして、メインボディに対して、自由に、それを動かすことが可能になる。ノズルまたはブラシのようなツールは、制限されたスペース、家具調度品及び他の床より上の掃除のような、通常のクリーナーヘッドでは届かない部屋の部分を清掃するために、堅いパイプ部分の末端に取り付けられ、電気掃除機の汚れた空気の吸気口を形成する。
【０００７】
【発明が解決しようとする課題】
まっすぐなパイプ、及び、柔軟なホースは、ユーザが自由に掃除を行うことを可能にするが、堅いパイプは、時には使いにくい。直立清掃モードの際に、掃除機を動かすために、ユーザがつかむパイプの取っ手部分は、ユーザから遠く離れた位置にあり、ユーザが制限されたスペースに到達しようと試みている際に、時には障害を引き起こす可能性がある。また、パイプの遠端にある取っ手の位置は、重さの大部分が、まっすぐなパイプにおける、この終端にあるという結果をもたらし、同じく、まっすぐなパイプを使いにくくする可能性がある。
米国特許第２，８６７，８３３号には、２つの機能を果たすパイプを有する電気掃除機が開示されている。２つの機能とは、パイプが掃除機のボディ内に収納されたとき、装置の取っ手の一部となる機能と、パイプが掃除機のボディから取り外されたとき、掃除に使用するための、まっすぐな延長パイプとなる機能である。
【０００８】
本発明は、電気掃除機を、より使い易くすることを可能にしようと試みたものである。
【０００９】
【課題を解決するための手段】
本発明の第１の様相は、電気掃除機のためのホースとまっすぐなパイプとの組立品を提供する。この掃除機は、分離装置の吸気口を有するメインボディを備え、前記組立品は、分離装置の吸気口に結合するための一方の終端と、接続部において終結する、もう一方の終端とを有する柔軟なホースを備えている。また、前記組立品は、メインボディに着脱可能な堅いパイプを備えていて、メインボディに連結されたとき、掃除機に取っ手を提供し、メインボディから解放されたとき、まっすぐなパイプを提供する。前記パイプは、第１及び第２の終端のそれぞれに開口を有し、かつ、ユーザがパイプをつかむことを可能にするために、第１の終端にグリップ部を有している。また、前記ホースの接続部は、パイプのどちらの終端の開口にも接続可能とされている。
【００１０】
これには、堅いパイプを、シリンダ清掃モードの際に、より便利に使用可能であるという利点がある。柔軟なホースを、グリップ部に隣接するパイプの第１の終端に接続することによって、ユーザは、パイプをより容易に動かすことが可能になり、パイプの遠端におけるグリップ部に邪魔されることなく、制限されたスペースに到達することができる。また、グリップ部が、ユーザに近い側のパイプの終端にあるので、ユーザは、パイプを動かすために、グリップ部を用いることができる。更に、ユーザに近いグリップ部の位置は、パイプの末端における重さを軽減し、ユーザにとっての操作性及び快適さを向上させる。
【００１１】
グリップ部は、取っ手として用いられることを意図している、パイプの一部分である。それは、ユーザがパイプをつかむことを可能にするように、形造られたパイプの一部分であってもよいし、あるいは、ねじ山のような表面を有していてもよい。あるいは、それは、パイプから伸びる別の部品であってもよい。
【００１２】
パイプにおける第１及び第２の終端の開口は、同じ形であるのが好ましい。ただし、代替案として、パイプにおける、第１の終端の開口と、第２の終端の開口とが、異なる形であって、掃除機が、更に、パイプにおける第１の終端に接続可能な吸気口と、ホースの接続部にはめ込む排気口とを有するアダプタを備えていてもよい。
【００１３】
電気掃除機は、更に、パイプにおける第１及び第２の終端の開口に接続可能な排気口を有する、アクセサリーツールを備えているのが好ましい。更に、アクセサリーツールの排気口は、ホースの接続部にも接続可能であるのが好ましい。これは、アクセサリーツールに、２つの異なる直径のスリーブを有する排気口を備えることによって達成される。
【００１４】
本発明の別の様相は、電気掃除機のための取っ手を提供する。この取っ手は、掃除機のメインボディに着脱可能な堅いパイプを備えていて、メインボディに連結されたとき、掃除機に取っ手を提供し、メインボディから解放されたとき、まっすぐなパイプを提供する。前記パイプは、第１及び第２の終端のそれぞれに開口を有し、かつ、ユーザがパイプをつかむことを可能にするために、第１の終端にグリップ部を有している。前記開口は、同じ形で、いずれの開口も、掃除機の分離装置に接続するために、柔軟なホースの接続部に接続することができる。
【００１５】
本発明の更に別の様相は、ホースとまっすぐなパイプとの組立品、または、上記のタイプの取っ手を組み込んだ電気掃除機を提供する。
【００１６】
【発明の実施の形態】
以下、本発明の実施形態を、添付の図を参照して説明する。
【００１７】
電気掃除機100は、電気掃除機100のメインボディ3の下端に、回転可能に取り付けられたクリーナーヘッド1を備えている。メインボディ3は、（図示していない）ほこり分離装置を内蔵している。これは、１つ以上のサイクロン分離装置、ダストバッグ、または、その他の形の分離装置の形をとることができる。また、一組の車輪5も、モーターケーシング6を介して、メインボディ3の下端に取り付けられている。そこから、前記クリーナーヘッド1が、前方向に伸びている。
【００１８】
クリーナーヘッド1は、その前端に、下を向いた汚れた空気の吸気口7を有しているので、直立モードでの使用の際に、汚れた空気の吸気口7は、清掃しようとする面に接触し、汚れた空気は、汚れた空気の吸気口7からクリーナーヘッド1に吸い込まれ、ほこり分離装置に導入される。まっすぐなパイプ9は、電気掃除機100のメインボディ3の後部に、取り外し可能な状態で、取り付けられている。
【００１９】
図２Ａに示すような直立清掃モードにおいては、まっすぐなパイプ9は、電気掃除機100のメインボディ3に留められるので、メインボディ3から上に伸びた状態となる。取っ手11のグリップ部12は、ユーザによってつかまれ、電気掃除機100のメインボディ3は、後方にユーザに向けて、クリーナーヘッド1から離れるように傾けられる。
【００２０】
図２Ｂに示すようなシリンダ清掃モードにおいては、まっすぐなパイプ9は、電気掃除機100のメインボディ3から取り外され、使用のために伸ばされ、まっすぐなパイプ9の末端17が、汚れた空気の吸気口として機能するようになる。（図示していない）バルブが設けられていて、掃除機がシリンダーモードで使用されるとき、クリーナーヘッド1における汚れた空気の吸気口を遮断する。
【００２１】
このバルブは、掃除機のメインボディ3に対する、まっすぐなパイプ9の位置に反応する。まっすぐなパイプ9が、メインボディ3に取り付けられ、かつホース20内に収納される直立操作モードにおいては、このバルブは、汚れた空気が、クリーナーヘッド1経由で流れることを可能にする。まっすぐなパイプ9が、メインボディ3から取り外されたとき、このバルブは、汚れた空気が、パイプ10経由で流れることを可能にする。適当なバルブのメカニズムは、米国特許Re.32,257に述べられている。
【００２２】
まっすぐなパイプ9は、堅いパイプ部10と、柔軟なホース部20とを備えている。堅いパイプ部10の近端16は、柔軟なホース部の一端に、滑動可能かつ取り外し可能な状態で連結されていて、パイプ部10を、ホース部20の中に、伸縮式に滑り込ませることが可能となっている。柔軟なホース部の近端16は、電気掃除機のメインボディ3の下端に、動かないように接続されている。電気掃除機がシリンダーモードで使用されるとき、パイプ部10及びホース部20は、共に、ほこり分離装置に入る気流の経路となる。この実施形態で、まっすぐなパイプ9におけるパイプ部10は、内部が曲がっていない、まっすぐな空洞の管から成る。これは、管が詰まる危険性を少なくし、かつ、管が詰まった場合にも、ユーザが、パイプ10をのぞき込み、細長い工具をパイプ部の一端から導入することによって、障害物を取り除くことを可能にする。しかしながら、以下で更に述べるように、パイプ10は、その長さ全体にわたって、まっすぐである必要はない。
【００２３】
電気掃除機100が直立モードで使用されるとき、パイプ部10は、電気掃除機のメインボディ3から上方に伸びていて、取っ手11が形成されている。取っ手11は、グリップ部12を備えていて、このグリップ部12は、パイプ部10の末端から、パイプ部10の長さ方向の軸に対して鋭角に、前方かつ下向きに伸びている。グリップ部12は、カーブした外面を有する外側の部分13と、内側の部分15とを備えている。グリップ部12は、ユーザが快適に握ることができるように形造られている。取っ手11の下側の部分18は、グリップ部12の前端から、下方向かつ後方に伸びていて、取っ手11のグリップ部12を、パイプ部10の末端と、電気掃除機100のメインボディ3の上端との間の、おおよそ中間の地点で、パイプ部10に固定している。下側の部分18は、グリップ部を支えていて、それに、強さ及び安定性を与えている。その長さの全体にわたってまっすぐなパイプ10に対する代替案として、パイプ10は、その末端近くで曲がっていてもよい。このパイプ10の末端部は、取っ手として利用することができる。
【００２４】
キャップ19が、パイプ部10の末端17に、パイプ部10の両側の旋回軸点25で、旋回可能に取り付けられているのが好ましい。旋回軸点25は、グリップ部12がパイプ部10に取り付けられた地点の下に位置している。キャップ19は、旋回軸点25から離れた、カーブした外面21と、２つの側壁20とを有している。側壁20は、それぞれ、カーブした面21から、堅いパイプ部10の両側における、それぞれの旋回軸点25に向かって、下方に伸びている。カーブした外面21は、パイプ部10の終端より長い。ばね、もしくは弾力がある帯板のようなバイアス手段（図示されていない）が、キャップ19を閉じた位置にする。閉じた位置にあるキャップ19は、まっすぐなパイプ9の遠端を覆い、物がまっすぐなパイプ9の中に落下するのを防止し、かつ、不適当な使用によってけがをする危険性を減少させる。
【００２５】
シリンダーモードにおいては、まっすぐなパイプ9は、電気掃除機100のメインボディ3から取り外される。キャップ19は、まっすぐなパイプ9における、開口した末端27から離れるように、後方に傾けられ、汚れた空気の吸気口が露出される。これにより、アクセサリーツール31が、まっすぐなパイプ9に取り付け可能となる。アクセサリーツール31は、ノズル33、円形ブラシ35及び隙間ツール37、及び（図示していない）カーペット上の吸収性の粉に用いるためのグルーミングツールを含んでいてもよい。まっすぐなパイプ9の開口端27に必要なツールを取り付けると、電気掃除機100の汚れた空気の吸気口が形成され、キャップ19が、開いた位置に保持される。
【００２６】
アクセサリーツール31は、電気掃除機100のほこり分離装置の上に格納されているので、それらは、容易に取り出すことができる。なお、代替案として、それらを、クリーナーヘッド1の上に格納してもよい。ツール31は、対応するソケットまたはペグ上に格納されるか、もしくはクリップによって固定されてもよい。
【００２７】
図３Ａ〜９Ｄに、掃除機100がシリンダーモードで使用される際の様々な方法を示す。
【００２８】
ユーザは、行わなければならない掃除の仕事に応じて、様々な方法で掃除機100を使用することができる。
【００２９】
ユーザが、まっすぐなパイプを持つことを望み、アクセサリーツールとユーザの間に、いくらかの距離を必要とする仕事、例えば、身をかがめることなく幅木のエッジに沿って掃除を行うような、或いは、部屋の高い場所に届くようにする仕事のために、アクセサリーツール31は、まっすぐなパイプ9の一端に取り付けられ、ユーザは、まっすぐなパイプ9の他端を持ち、ツールを操る。アクセサリーツール31は、まっすぐなパイプ9における、どちらの終端16、17にも取り付けることができる。まず、図３Ａに、既知の構成を示す。ホースコネクタ40が、まっすぐなパイプ9の終端16に接続されている。ツール31が、まっすぐなパイプ9の末端17に取り付けられている。掃除機を直立モードで使用するとき（図２Ａ）は、ホースコネクタ40が、既に、パイプ10の終端16に接続されているので、この方法で掃除機を使うのが、ユーザにとって、手っ取り早い。ユーザは、単に、解放機構8を用いて、掃除機のメインボディ3から、まっすぐなパイプ9を取り外し、終端17にアクセサリーツール31を取り付けるだけである。しかしながら、前述したように、ユーザは、ホースのコネクタ40によって、まっすぐなパイプ9を支えなければならないという欠点がある。
【００３０】
図４Ａに、まっすぐなパイプ9の末端17にホースコネクタ40を接続した状態を示す。ツール31は、まっすぐなパイプ9の終端16に取り付けられている。前記と同様に、ユーザは、解放機構8を用いて、掃除機のメインボディ3から、まっすぐなパイプ9を取り外す。ホースコネクタ40は、まっすぐなパイプ9の終端16から取り外され、まっすぐなパイプ9の終端17に接続される。アダプタ70が、終端17への接続を行うために用いられる。そして、アクセサリーツール31が、まっすぐなパイプ9の終端16に取り付けられる。この構成によって、ユーザは、取っ手を使い易い位置に持ってくることができるという利点を得る。
【００３１】
車両の内部または室内装飾品の清掃のように、ユーザがアクセサリーツールをつかみたくなるような、制限されたスペースの清掃作業のためには、アクセサリーツールを直接ホース部20の終端に接続することが望ましい。図５Ａに、ホースコネクタ40に直接アクセサリーツール31を接続した状態を示す。この状態にするには、ユーザは、解放機構8を用いて、掃除機のメインボディ3から、まっすぐなパイプ9を取り外す。ホースコネクタ40は、まっすぐなパイプ9の終端16から取り外され、アクセサリーツール31に接続される。
【００３２】
各アクセサリーツール31は、ホースコネクタ40、もしくは、まっすぐなパイプ9における、どちらの終端16、17にも取り付け可能となっている。これは、アクセサリーツールに、２つの直径のスリーブを有する排気口を設けることによって達成される。図６Ａ及び６Ｂに、アクセサリーツール31を更に詳細に示す。ツール31の排気口は、直径d1の第１の部分61と、排気口に隣接する、より広い直径d2の第２の部分62とを有している。排気口における直径が異なる部分61、62は、この形の排気口を有するツールを成型することによって製造される。また、１つの直径(d2)の排気口を有する、既存のツールを改造することも可能である。図６Ａ及び６Ｂには、差込み部材80を、ツール31の排気口内にはめ込むことによって、２つの直径の部分61、62を形成した状態を示す。図７Ａ〜７Ｄに、差込み部材80を更に詳細に示す。それは、アクセサリーツール31の排気口中にはめ込まれる、直径d1の部分61を備える狭いスリーブ83と、部分62、すなわち、より広い直径d2を有する広いスリーブ84とを具備している。差込み部材80が、ツール31の排気口内にはめ込まれると、差込み部材における縁86は、ツール31の排気口の終端に接する。この差込み部材は、好ましくは、スピン溶接によって、ツールにはめ込まれるが、他の技術、例えば、接着剤を使用する技術を用いてもよい。リブ81、82が、差込み部材80の内面上に設けられていて、使用中に、ホースコネクタ40、または、まっすぐなパイプ9の終端16、17をグリップするのに役立つ。
【００３３】
図３Ｂ、４Ｂ、４Ｃ、５Ｂに、個々の接続構成における横断面図を示し、かつ、いかにして、アクセサリーツール31及びアダプタ70が、これらの接続構成を可能にしたかを更に詳細に示す。
【００３４】
図３Ｂは、図３ＡのA-A'に沿った横断面図である。まっすぐなパイプ9の終端17が、ツール31の排気口の部分62（直径d2）の中にはめ込まれている。
【００３５】
図４Ｂ及び４Ｃは、図４ＡのB-B'に沿った横断面における終端の図である。まっすぐなパイプ9の終端16が、ツール31の排気口の部分61（直径d1）の中にはめ込まれ、一方、ホースコネクタ40が、アダプタ70を介して、まっすぐなパイプ9の終端17にはめ込まれている。アダプタ70は、ホースコネクタ40と、まっすぐなパイプ9の終端17との間の、メス-メス接続を可能にする。アダプタ70の吸気口は、等しい直径(d2)を有している。
【００３６】
図５Ｂは、図５ＡのC-C'に沿った横断面図である。ホースコネクタ40が、アクセサリーツール31の排気口の部分62（直径d2）の中にはめ込まれている。
【００３７】
図８Ａ及び８Ｂに、メス-メス アダプタ70を更に詳細に示す。リブ71、72が、アダプタ70に対する吸気口の内面上に設けられている。両方の吸気口は、等しい直径(d2)を有している。関節(articulated)ジョイント72は、一部、アダプタの長さ方向に沿って設けられている。これは、ホースコネクタ40が、まっすぐなパイプ9に対して、ある角度をなして位置決めされることを可能にし、そして、ユーザの快適さを増加する。
【００３８】
図９Ａ〜９Ｃに、ホースコネクタ40及びアクセサリーツール31が、まっすぐなパイプ9のどちらの終端にも接続可能である代替構成を示す。変更されたまっすぐなパイプ109は、まっすぐなパイプの両端16、17が、同じ形の差込み115、116を有している点を除いては、まっすぐなパイプ9と同じである。これにより、ホースコネクタ40は、アダプタ70を必要とせずに、まっすぐなパイプのどちらの終端にも接続可能となる。前記の実施形態と同様に、各アクセサリーツール31は、２つの異なる直径の部分を有する排気口を備えている。これらは、既存のツールへの差込み部品であってもよいし、更に好ましくは、ツールと一体成型されてもよい。アクセサリーツール31をホースコネクタ40に接続するためには、直径d2を有するツール31の部分62が、ホースコネクタ40の内側のスリーブ42の周りにはめ込まれる。アクセサリーツール31をまっすぐなパイプ109のどちらの終端にも接続するためには、直径d1を有するツール31の部分61が、まっすぐなパイプ109の終端における差込み115、116の周りにはめ込まれる。
【００３９】
領域110を見ると、まっすぐなパイプ109は、終端17が変更されている。すなわち、取っ手とパイプ115の間に、より大きい隙間が形成されていて、ホースコネクタ40が、まっすぐなパイプのこの終端にはめ込まれたとき、ホースコネクタ40の袖口を収容可能となっている。
【００４０】
図９Ｄに、更なる代替構成を示す。図９Ａ〜９Ｃに示した実施形態と同様に、まっすぐなパイプ109は、各終端に直径d1の差込み115、116を有している。この実施形態は、変更されたツール31'が、まっすぐなパイプ109のどちらの終端における差込み115、116の周りにもはめ込めるように、直径d1のみの排気口を備えている点で、異なっている。ホースコネクタ40'は、ホースコネクタ40に対して、まっすぐなパイプ109のどちらかの終端における差込み115、116と、ツール31'との両方にはめ込める吸気口を備えている点が変更されている。前記と同様に、ホースコネクタ40'の部分43は、直径d1を有している。しかし、既に示した図５Ｂのように、ツールがホースコネクタのスリーブの周りにはめ込まれる代りに、ツール31'は、直径d3を有するコネクタ40'のスリーブ45内にはめ込まれ、コネクタ40'の部分44に収まる。すなわち、ホースコネクタ40'が、２つの直径のコネクタを有している。これには、複数あるツール31'が、ツール31と比較して、吸気口の直径が小さく、かつ長さが短くてすむという利点がある。従って、ツール31'は、収納スペースを食わないので、収納し易い。
【００４１】
示された実施形態の各々において、まっすぐなパイプ9の各終端16、17における差込みは、アルミニウムのパイプのような、金属パイプの形であってもよいし、或いは、プラスチックのような、適当な材料を成型した部品であってもよい。
【００４２】
示された実施形態に対する変形は、当業者にとっては明白であり、請求された発明の範囲内にあることを意味している。
【図面の簡単な説明】
【図１】  直立型の電気掃除機を示す。
【図２Ａ】  直立操作モードで用いられている、図１の電気掃除機を示す。
【図２Ｂ】  シリンダー操作モードで用いられている、図１の電気掃除機を示す。
【図３Ａ】  シリンダー操作モードで、図１の掃除機を用いる第１の方法を示す。
【図３Ｂ】  シリンダー操作モードで、図１の掃除機を用いる第１の方法を示す。
【図４Ａ】  シリンダー操作モードで、図１の掃除機を用いる第２の方法を示す。
【図４Ｂ】  シリンダー操作モードで、図１の掃除機を用いる第２の方法を示す。
【図４Ｃ】  シリンダー操作モードで、図１の掃除機を用いる第２の方法を示す。
【図５Ａ】  シリンダー操作モードで、図１の掃除機を用いる第３の方法を示す。
【図５Ｂ】  シリンダー操作モードで、図１の掃除機を用いる第３の方法を示す。
【図６Ａ】  図３Ａ〜５Ｂの構成において使用されるアクセサリーツールを示す
【図６Ｂ】  図３Ａ〜５Ｂの構成において使用されるアクセサリーツールを示す。
【図７Ａ】  図６Ａ及び６Ｂのツール内にはめ込まれる差込み部材を、更に詳細に示す。
【図７Ｂ】  図６Ａ及び６Ｂのツール内にはめ込まれる差込み部材を、更に詳細に示す。
【図７Ｃ】  図６Ａ及び６Ｂのツール内にはめ込まれる差込み部材を、更に詳細に示す。
【図７Ｄ】  図６Ａ及び６Ｂのツール内にはめ込まれる差込み部材を、更に詳細に示す。
【図８Ａ】  図４Ａ及び４Ｂの構成において用いられるアダプタを示す。
【図８Ｂ】  図４Ａ及び４Ｂの構成において用いられるアダプタを示す。
【図９Ａ】  図３Ａ〜８Ｂに示したものの代替構成を示す。
【図９Ｂ】  図３Ａ〜８Ｂに示したものの代替構成を示す。
【図９Ｃ】  図３Ａ〜８Ｂに示したものの代替構成を示す。
【図９Ｄ】  図３Ａ〜８Ｂに示したものの代替構成を示す。
【符号の説明】
100  電気掃除機
3  メインボディ
9,10  パイプ
11  取っ手
12  グリップ部
16,17  終端
20  ホース
31  アクセサリーツール
40  ホースコネクタ
【図１】
0004426151.tif 000002
【図２Ａ】
0004426151.tif 000003
【図２Ｂ】
0004426151.tif 000004
【図３Ａ】
0004426151.tif 000005
【図３Ｂ】
0004426151.tif 000006
【図４Ａ−Ｃ】
0004426151.tif 000007
【図５Ａ】
0004426151.tif 000008
【図５Ｂ】
0004426151.tif 000009
【図６Ａ】
0004426151.tif 000010
【図６Ｂ】
0004426151.tif 000011
【図８Ａ】
0004426151.tif 000012
【図８Ｂ】
0004426151.tif 000013
【図７Ａ】
0004426151.tif 000014
【図７Ｂ】
0004426151.tif 000015
【図７Ｃ】
0004426151.tif 000016
【図７Ｄ】
0004426151.tif 000017
【図９Ａ】
0004426151.tif 000018
【図９Ｂ】
0004426151.tif 000019
【図９Ｃ】
0004426151.tif 000020
【図９Ｄ】
0004426151.tif 000021